【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
所定量の流体を貯蔵及び送達するためのシステムであって、
（ａ）長手方向軸線を画定する注射器であって、
（ｉ）注射外筒であって、
（Ａ）第１の端部と、
（Ｂ）第２の端部と、
（Ｃ）前記第１の端部と前記第２の端部との間に延在するルーメンと、を備える、注射外筒と、
（ｉｉ）前記第２の端部に配設され、かつ前記長手方向軸線から離れる方向に延在する第１のフランジと、
（ｉｉｉ）前記注射外筒の前記ルーメン内に受容され、かつ、前記ルーメンに対して移動して、流体を前記注射器内に引き込みかつ前記注射器から流体を分配するように構成されたプランジャアセンブリであって、
（Ａ）ピストンと、
（Ｂ）第１の端部と第２の端部とを備えるプランジャロッドであって、前記プランジャロッドの前記第１の端部は前記ピストンと連結され、前記プランジャロッドは、前記プランジャロッドの前記第２の端部に第２のフランジを備える、プランジャロッドと、を備える、プランジャアセンブリと、を備える、注射器と、
（ｂ）少なくとも１つのスナップ嵌め特徴部を含む第１の停止特徴部であって、前記第１の停止特徴部は、前記少なくとも１つのスナップ嵌め特徴部を使用して前記注射外筒、前記第１のフランジ、又は前記プランジャアセンブリの少なくとも１つにスナップ嵌めするように着脱自在に連結可能であり、前記第１の停止特徴部は、前記注射外筒に対する前記プランジャアセンブリの前進を制限して、前記プランジャアセンブリが、前記第１のフランジの一部又は前記注射外筒の一部のいずれかから第１の所定距離を超えて前進するのを防止するように構成されている、第１の停止特徴部と、を備える、システム。
【請求項２】
前記プランジャロッドが、前記ピストンとネジ止めにより連結されている、請求項１に記載のシステム。
【請求項３】
前記プランジャロッドの前記第１の端部がネジ付き部分を備え、前記ピストンが、前記プランジャロッドの前記ネジ付き部分を受容するように構成されたネジ付き開口を備える、請求項２に記載のシステム。
【請求項４】
前記第１の停止特徴部が係合部を備え、前記係合部の一部は、前記プランジャロッドの断面輪郭に相補的である形状を有する、請求項１に記載のシステム。
【請求項５】
前記第１の停止特徴部は、前記第２のフランジが前記第１のフランジから第２の所定距離にあるときに、前記注射外筒に対する前記プランジャアセンブリの遠位移動を防止するように構成されている、請求項１に記載のシステム。
【請求項６】
前記第１の停止特徴部は、前記第２のフランジが前記第１のフランジから前記第２の所定距離に位置付けられているときに前記第２のフランジ及び前記第１のフランジと当接するように構成されている、請求項５に記載のシステム。
【請求項７】
アダプタを更に備え、前記プランジャロッドが前記ピストンから分離されるように構成され、前記アダプタは、前記プランジャロッドの不存在下で、前記注射外筒の前記第２の端部内に受容されるように構成され、前記アダプタは、前記注射器を加圧流体の供給源と流体的に連結して、前記ピストンを前記ルーメン内で移動させるように構成されている、請求項１に記載のシステム。
【請求項８】
前記アダプタが、第１の管状部と、第２の管状部と、前記第１の管状部と前記第２の管状部との間の第３のフランジと、を備え、前記第１の管状部は、前記プランジャロッドの不存在下で、前記注射外筒の前記第２の端部内に受容されるように構成され、前記第３のフランジは、前記第１の管状部が前記注射外筒の前記第２の端部内に受容されたときに前記第１のフランジと当接するように構成されている、請求項７に記載のシステム。
【請求項９】
鍔部を更に備え、前記鍔部は、前記アダプタを前記注射器に固定するように構成されている、請求項８に記載のシステム。
【請求項１０】
前記鍔部が、前記第１のフランジの少なくとも一部及び前記第３のフランジの少なくとも一部を包み込むように構成されている、請求項９に記載のシステム。
【請求項１１】
前記鍔部が、前記第１のフランジの少なくとも一部及び前記第３のフランジの少なくとも一部を受容するように構成された空洞部を更に備える、請求項９に記載のシステム。
【請求項１２】
前記鍔部が傾斜面特徴部を更に備え、前記傾斜面特徴部は、前記第１及び第３のフランジが前記空洞部内に導かれたときに前記第１及び第３のフランジを互いに向かって付勢するように構成されている、請求項１１に記載のシステム。
【請求項１３】
前記傾斜面特徴部が、テーパ状の先端部分を含む、請求項１２に記載のシステム。
【請求項１４】
（ａ）加圧流体媒体を提供するように動作可能なポンプと、
（ｂ）圧力調節器であって、前記圧力調節器は、前記ポンプと流体連通しており、それによって、前記ポンプによって供給される前記加圧流体媒体の圧力を調節するように動作可能であり、前記圧力調節器は、前記注射器が前記加圧流体媒体を受容するように動作可能であるように、前記注射器と更に連通している、圧力調節器と、を更に備える、請求項９に記載のシステム。
【請求項１５】
注射器を充填及びプライミングする方法であって、前記注射器は長手方向軸線を画定し、前記注射器は、注射外筒と、ピストンに着脱自在に連結されたプランジャロッドを含むプランジャアセンブリと、を備え、前記方法は、
（ａ）前記注射外筒を流体の供給源と流体的に連結することと、
（ｂ）前記プランジャアセンブリを、前記注射外筒に対して、前記長手方向軸線に沿って第１の方向に移動させて、流体を前記注射外筒内に引き込むことと、
（ｃ）停止部材を、前記注射器の一部又は前記プランジャロッドに着脱自在に連結することと、
（ｄ）前記停止部材が前記プランジャアセンブリの前記第１の方向とは逆の第２の方向への更なる移動を妨げるまで、前記プランジャアセンブリを、前記注射外筒に対して、前記第２の方向に移動させることと、
（ｅ）前記プランジャロッドを前記ピストンから分離し、かつ前記プランジャロッドを前記注射外筒から取り外すことと、
（ｆ）その後、前記ピストンを前記第２の方向に更に前進させることと、を含む、方法。
【請求項１６】
前記停止部材を前記注射器又は前記プランジャロッドから分離することを更に含む、請求項１５に記載の方法。
【請求項１７】
前記プランジャロッドを前記ピストンから分離することが、前記プランジャロッドを前記ピストンに対して回転させて、前記プランジャロッドと前記ピストンとの間の螺合係合を解除することを更に含む、請求項１５に記載の方法。
【請求項１８】
（ａ）前記注射器を加圧流体の供給源に流体的に連結することと、
（ｂ）前記加圧流体を前記注射器内に導いて、前記ピストンを前記第２の方向に更に前進させることと、を更に含む、請求項１５に記載の方法。
【請求項１９】
注射器の動作方法であって、前記注射器は長手方向軸線を画定し、前記注射器は、近位端と遠位端とを有する注射外筒を備え、前記注射器は、前記注射外筒の前記近位端内に受容されるように構成されたプランジャアセンブリを更に備え、前記プランジャアセンブリは、ピストンに着脱自在に連結されたプランジャロッドを備え、前記方法は、
（ａ）前記注射外筒の前記遠位端を流体の供給源と流体的に連結することと、
（ｂ）前記プランジャアセンブリを前記長手方向軸線に沿って前記注射外筒に対して近位に移動させて、流体を前記注射外筒内に引き込むことであって、前記流体は前記ピストンに対して遠位に受容される、引き込むことと、
（ｃ）前記注射器をプライミングして前記注射器から空気をパージすることと、
（ｄ）前記プランジャロッドを前記ピストンから分離し、かつ前記プランジャロッドを前記注射外筒から取り外すと共に、前記ピストンを前記流体と接触した状態にすることと、
（ｅ）前記注射外筒の前記近位端において、前記注射外筒を加圧流体の供給源に流体的に連結することと、
（ｆ）その後、加圧流体を前記注射外筒内に導いて前記ピストンを遠位に前進させることであって、前記加圧流体を前記注射外筒内に導く行為は、前記加圧流体を前記ピストンに対して近位に導くことを含む、前進させることと、を含む、方法。